(57)【要約】【課題】  ステアリングシャフトとステアリングギヤボックスとのジョイント部に用いる自在継手の遮水構造に係り、従来の蛇腹状のブーツに比しコストが安く、組付作業性に優れた自在継手の遮水構造を提供する。【解決手段】  自在継手を介してステアリングギヤボックスに連結されるステアリングシャフトの下部に、低硬度弾性樹脂材料で形成され、ステアリングギヤボックス側が開口する非蛇腹形状の遮水カバーを締結部材で固定し、当該遮水カバーで前記自在継手を覆うと共に、前記締結部材の締結部位より下側のステアリングシャフトの外周に、前記遮水カバーの内周に係止して当該遮水カバーの脱落を防止する脱落防止部を設けたことを特徴とする。【選択図】    図５
2012030646.tif 000002
【特許請求の範囲】
【請求項１】
自在継手を介してステアリングギヤボックスに連結されるステアリングシャフトの下部に、低硬度弾性樹脂材料で形成され、ステアリングギヤボックス側が開口する非蛇腹形状の遮水カバーを締結部材で固定し、当該遮水カバーで前記自在継手を覆うと共に、
前記締結部材の締結部位より下側のステアリングシャフトの外周に、前記遮水カバーの内周に係止して当該遮水カバーの脱落を防止する脱落防止部を設けたことを特徴とする自在継手の遮水構造。
【請求項２】
前記脱落防止部は、ステアリングシャフトの外周に固着したリング部材であることを特徴とする請求項１に記載の自在継手の遮水構造。
【請求項３】
前記遮水カバーの内周に、当該遮水カバーの開口方向へ傾斜する遮水用突起を設けたことを特徴とする請求項１または請求項２に記載の自在継手の遮水構造。
【発明の詳細な説明】
【技術分野】
【０００１】
本発明は、ステアリングシャフトとステアリングギヤボックスとのジョイント部に用いる自在継手の遮水構造に関する。
【背景技術】
【０００２】
車両のステアリング装置に於て、ステアリングシャフトはステアリングホイールの操作力をステアリングギヤボックスに伝えるもので、一般にステアリングシャフトとステアリングギヤボックスとのジョイント部に自在継手が使用されている。
【０００３】
そして、特許文献１に開示されるように、従来、車室内からステアリングギヤボックスへの異物の落下防止、車室外から車室内への騒音防止等を目的として、車室内側からステアリングシャフトとステアリングギヤボックスのジョイント部を覆うステアリングジョイントカバーがキャブフロアに装着されている。
【０００４】
しかし、ステアリングシャフトとステアリングギヤボックスのジョイント部はエンジンルーム内に配置される構造上、車両レイアウトやキャブデザインによって、雨天時にジョイント部分が走行風で被水してしまう場合がある。
【０００５】
また、キャブをチルトしてドライバーが高圧洗浄水で車体を洗浄する場合、高圧洗浄水がジョイント部分にかかって自在継手への浸水に繋がり、中のグリスを洗い流してしまう虞もあった。
【０００６】
一方、自動車や工作機械を始め、各種の産業機械の自在継手部位を保護するゴム状の弾性部材からなる自在継手用ブーツ（以下、「ブーツ」という）が特許文献２に開示されている。
【０００７】
このブーツは、小径リング部と大径リング部との間が蛇腹部とされ、小径リング部から大径リング部に亘って分割部が形成された構造からなり、小径リング部と大径リング部は、ブーツを自在継手部位に装着する際の固定部位としての役割を担い、分割部は、自在継手部位へのブーツの装着、脱着作業を容易にするもので、斯かるブーツを既述したステアリングシャフトとステアリングギヤボックスのジョイント部に用いることで、自在継手を水から保護することが可能となる。
【先行技術文献】
【特許文献】
【０００８】
【特許文献１】特開２００８−８７７１８号公報
【特許文献２】特許第４４０５４７０号公報
【発明の概要】
【発明が解決しようとする課題】
【０００９】
しかし乍ら、斯様に蛇腹状に形成されたブーツをステアリングシャフトとステアリングギヤボックスのジョイント部に使用した場合、内部の自在継手がカバーに当たらないようにブーツを形成することでブーツ全体が嵩張り、エンジンルーム内の周辺機器とのクリアランスを確保する必要から、エンジンルーム内のレイアウトの自由度が制限されてしまう虞がある。
【００１０】
また、前記ブーツは小径リング部と大径リング部、即ち、ブーツの上下２箇所を固定する構造上、例えばステアリングシャフトに大径リング部側を固定し、小径リング部側をステアリングギヤボックスのウォームシャフトに固定する必要があるが、ステアリングシャフトやウォームシャフトに、夫々、被取付構造を新たに設けなければならず、構造が複雑になってコストがかかってしまう欠点もある。
【００１１】
而も、斯様に上下２箇所を固定するため作業も煩雑であると共に、自在継手部分に後付けする構造上、既述したように小径リング部から大径リング部に亘って分割部を設ける等、ブーツ自体の構造も複雑なものとなっていた。
【００１２】
本発明は斯かる実情に鑑み案出されたもので、ステアリングシャフトとステアリングギヤボックスのジョイント部に用いる自在継手の確実な遮水を図るに当たり、既述したブーツに比しコストが安く、組付作業性に優れた自在継手の遮水構造を提供することを目的とする。
【課題を解決するための手段】
【００１３】
斯かる目的を達成するため、請求項１に係る発明は、自在継手を介してステアリングギヤボックスに連結されるステアリングシャフトの下部に、低硬度弾性樹脂材料で形成され、ステアリングギヤボックス側が開口する非蛇腹形状の遮水カバーを締結部材で固定し、当該遮水カバーで前記自在継手を覆うと共に、前記締結部材の締結部位より下側のステアリングシャフトの外周に、前記遮水カバーの内周に係止して当該遮水カバーの脱落を防止する脱落防止部を設けたことを特徴とする。
【００１４】
そして、請求項２に係る発明は、請求項１に記載の自在継手の遮水構造に於て、前記脱落防止部は、ステアリングシャフトの外周に固着したリング部材であることを特徴とし、請求項３に係る発明は、請求項１または請求項２に記載の自在継手の遮水構造に於て、前記遮水カバーの内周に、当該遮水カバーの開口方向へ傾斜する遮水用突起を設けたことを特徴とする。
【発明の効果】
【００１５】
請求項１に係る発明によれば、
[1]ステアリングシャフトとステアリングギヤボックスのジョイント部に用いる自在継手（特にグリスが充填された自在継手の軸部）の確実な遮水を図ることができる。
【００１６】
[2]遮水カバーは非蛇腹形状であるため、エンジンルーム内の周辺機器とのクリアランスを必要最小限で計画ができ、レイアウト上の自由度が高い。
【００１７】
[3]遮水カバーを締結部材で締め付け固定するだけで、自在継手を覆って遮水カバーがステアリングシャフトに取り付くため、特許文献２に開示されたブーツに比し取付作業性に優れると共に、ウォームシャフトに被取付構造を新たに設ける必要もなく、構造が簡単で低コストで所期の目的を達成することが可能となる。
【００１８】
[4]ステアリングシャフトに脱落防止部を設けたため、遮水カバーの脱落防止が図れると共に、遮水カバーの位置決め作業が容易に行える。
【００１９】
[5]遮水カバーは低硬度弾性樹脂材料で形成されているため、ステアリングシャフト（ステアリングコラム）をキャブに組み付ける際に、遮水カバーをフロア貫通孔に通す作業が容易である。
【００２０】
[6]遮水カバーはステアリングギヤボックス側が開口した構造上、自在継手のヨークをウォームシャフトに締結ボルトで固定する際に、キャブをチルトさせることで締結ボルトの取付箇所が視認できるため、組付作業が容易に行える。
【００２１】
[7]他の遮水方法（自在継手の軸部のシール性の向上）や、被水をしても問題のない構造（グリスニップル）等のコストに対し、安価で対応することができる。
【００２２】
そして、請求項２に係る発明によれば、
[1]遮水カバーやリング部材は後付け可能な構造であるため、車両レイアウト上、遮水カバーが必要ない車両には、本発明の遮水構造を採用する必要がなく、車両に応じコスト削減が可能となる。
【００２３】
更に、請求項３に係る発明によれば、
[1]遮水用突起によって自在継手に対する遮水性が更に向上すると共に、遮水カバーの内部に浸入してしまった雨水等の排水がスムーズに行える利点を有する。
【図面の簡単な説明】
【００２４】
【図１】遮水カバーが取り付くステアリングシャフトの側面図である。
【図２】請求項１及び請求項２の一実施形態に係る遮水構造の要部断面図である。
【図３】キャブにステアリングシャフトを組み付ける一工程図である。
【図４】自在継手のヨークをステアリングギヤボックスのウォームシャフトに連結する工程図である。
【図５】走行被水を防止する遮水カバーの断面図である。
【図６】高圧洗浄水の被水を防止する遮水カバーの断面図である。
【図７】請求項１乃至請求項３の第一実施形態に係る遮水構造の要部断面図である。
【図８】環状突起の全体斜視図である。
【図９】請求項１乃至請求項３の第二実施形態に係る遮水構造の要部断面図である。
【図１０】請求項１乃至請求項３の第三実施形態に係る遮水構造の要部断面図である。
【発明を実施するための形態】
【００２５】
以下、本発明の実施形態を図面に基づいて詳細に説明する。
【００２６】
図１乃至図６は請求項１及び請求項２の一実施形態に係る自在継手の遮水構造を示し、図１及び図２に於て、１はステアリングシャフト、３はステアリングギヤボックスで、従来と同様、ステアリングシャフト１とステアリングギヤボックス３のジョイント部に自在継手５が使用されている。
【００２７】
そして、本実施形態は、雨天走行時に於ける雨水や高圧洗浄水から自在継手５を保護するため、前記自在継手５を覆う遮水カバーをステアリングシャフト１に装着したことを特徴とする。
【００２８】
即ち、図２に於て、７は周知の締め付けバンド（締結部材）９を介してステアリングシャフト１の下部の外周に固定された遮水カバーで、遮水カバー７は肉厚３ミリ程の低硬度の弾性樹脂材料（例えばＥＰＤＭ）で均一に形成され、ステアリングシャフト１の外周に締め付け固定される上部の小径部７ａに比し下部７ｂ側が大径とされてステアリングギヤボックス３側に開口する略筒状をなしており、内部の自在継手５との干渉を避け且つ全体が嵩張ることがないように、自在継手５の形状に沿って小径部７ａから斜め下方へなだらかに傾斜した後、下方へ裾広がりに急傾斜した回転対称形状とされている。
【００２９】
そして、遮水カバー７は、特許文献２に開示された蛇腹状のブーツと異なり、内外周が滑らかな非蛇腹形状とされており、図２に示すように小径部７ａを締め付けバンド９でステアリングシャフト１の外周に締め付け固定すると、遮水カバー７は自在継手５を覆い、遮水カバー７の下側に、自在継手５のヨーク５ａをステアリングギヤボックス３のウォームシャフト１１に固定する締結ボルト１３が車両の正面側（図中、矢印Ａ方向）から視認できるようになっている。
【００３０】
更に、図２に示すように締め付けバンド９の締結部位より下方のステアリングシャフト１の外周には、遮水カバー７の脱落防止（抜け落ち防止）を図るリング部材（脱落防止部）１５が固着されており、遮水カバー７をステアリングシャフト１の所定部位に締め付けバンド９で固定すると、リング部材１５が遮水カバー７の小径部７ａの下端内周に当接して、遮水カバー７の脱落を防止するようになっている。
【００３１】
また、図３はキャブにステアリングシャフト１を組み付ける一工程図を示し、一般にキャブをシャシに組み付けるに当たり、ステアリングホイールを含むステアリングシャフト１（ステアリングコラム）をキャブ側に組み付けた後、キャブをシャシに取り付けている。
【００３２】
そして、ステアリングシャフト１（ステアリングコラム）をキャブに組み付ける際には、キャブのフロアパネル１７に設けたフロア貫通孔１９にステアリングシャフト１の下部を上方から挿通させて、ステアリングシャフト１（ステアリングコラム）の上部をキャブに固定している。
【００３３】
この後、キャブをシャシに取り付け、フロア貫通孔１９から下方に突出するステアリングシャフト１に取り付く自在継手５のヨーク５ａを、シャシ側に取り付くステアリングギヤボックス３のウォームシャフト１１に締結ボルト１３で固定しているが、既述したようにステアリングシャフト１の下部に取り付く遮水カバー７は肉厚３ミリ程度の低硬度の弾性樹脂材料で形成されているため、フロア貫通孔１９にステアリングシャフト１の下部を挿通させる際に、遮水カバー７を変形させることで、遮水カバー７を容易にフロア貫通孔１９に挿通させることができるようになっている。
【００３４】
そして、自在継手のヨーク５ａを、ステアリングギヤボックス３のウォームシャフト１１に連結する際には、図４に示すようにキャブをチルトさせれば、締結ボルト１３の取付孔が視認できるようになっている。
【００３５】
本実施形態はこのように構成されているから、ステアリングシャフト１下部の所定位置にリング部材１５を固着し、ステアリングシャフト１の下部に遮水カバー７を締め付けバンド９で締め付け固定する。
【００３６】
尚、遮水カバー７の取付けは、小径部７ａを拡開させて当該小径部７ａにステアリングシャフト１の下部を挿通させた後、ステアリングシャフト１の所定位置に小径部７ａを締め付けバンド９で固定すればよく、リング部材１５が遮水カバー７の小径部７ａの下端内周に当接して遮水カバー７の脱落を防止する。
【００３７】
そして、キャブをシャシに組み付ける前に、ステアリングシャフト１（ステアリングコラム）をキャブに組み付けるが、遮水カバー７を変形させ乍ら、図３に示すようにステアリングシャフト１の下部をフロアパネル１７のフロア貫通孔１９に挿通させて、ステアリングシャフト１（ステアリングコラム）の上部をキャブに固定すればよい。
【００３８】
この後、キャブをシャシに取り付ける時に、フロア貫通孔１９から下方に突出するステアリングシャフト１に取り付く自在継手５のヨーク５ａを、シャシ側に取り付くステアリングギヤボックス３のウォームシャフト１１に締結ボルト１３で固定すればよく、図４に示すようにキャブをチルトさせれば締結ボルト１３の取付孔が視認できるため、組付作業が容易に行えることとなる。
【００３９】
而して、これらの一連の組付作業が終了すると、チルトダウンした通常の状態で、図２に示すようにステアリングシャフト１に取り付く遮水カバー７が、ステアリングシャフト１とステアリングギヤボックス３のジョイント部の自在継手５を覆うこととなる。
【００４０】
従って、雨天時に車両が走行して、図５に示すように走行風で雨水Ｗ１がエンジンルーム内に浸入しても、遮水カバー７が自在継手５（特にグリスが充填された自在継手５の軸部５ｂ）を保護して走行被水を防止する。
【００４１】
また、キャブをチルトしてドライバーが高圧洗浄水Ｗ２で車体を洗浄する場合にも、図６に示すように遮水カバー７が自在継手５の軸部５ｂを保護して、高圧洗浄水Ｗ２による被水を防止することとなる。
【００４２】
この結果、本実施形態によれば、従来に比し、以下の如き優れた効果を有する。
【００４３】
[1]ステアリングシャフト１とステアリングギヤボックス３のジョイント部に用いる自在継手５（特にグリスが充填された自在継手５の軸部５ｂ）の確実な遮水を図ることができる。
【００４４】
[2]特許文献２に開示されたブーツと異なり非蛇腹形状であるため、エンジンルーム内の周辺機器とのクリアランスを必要最小限で計画ができ、レイアウト上の自由度が高い。
【００４５】
[3]遮水カバー７の小径部７ａを締め付けバンド９で締め付け固定するだけで、自在継手５を覆って遮水カバー７がステアリングシャフト１に取り付くため、特許文献２のブーツに比し取付作業性に優れると共に、ウォームシャフト１１に被取付構造を新たに設ける必要もなく、構造が簡単で低コストで所期の目的を達成することが可能となる。
【００４６】
[4]ステアリングシャフト１にリング部材１５を固着したため、遮水カバー７の脱落防止が図れると共に、遮水カバー７の位置決め作業が容易に行える。
【００４７】
[5]遮水カバー７は低硬度弾性樹脂材料で形成されているため、図３に示すようにステアリングシャフト１（ステアリングコラム）をキャブに組み付ける際に、遮水カバー７をフロア貫通孔１９に通す作業が容易である。
【００４８】
[6]遮水カバー７はステアリングギヤボックス３側が開口した構造上、自在継手５のヨーク５ａをウォームシャフト１１に締結ボルト１３で固定する際に、図４の如くキャブをチルトさせることで締結ボルト１３の取付箇所が視認できるため、組付作業が容易に行える。
【００４９】
[7]遮水カバー７やリング部材１５は後付け可能な構造であるため、車両レイアウト上、遮水カバー７が必要ない車両には、本実施形態の遮水構造を採用する必要がなく、車両に応じコスト削減が可能となる。
【００５０】
[8]他の遮水方法（自在継手５の軸部５ｂのシール性の向上）や、被水をしても問題のない構造（グリスニップル）等のコストに対し、安価で対応することができる。
【００５１】
図７は請求項１乃至請求項３の第一実施形態に係る自在継手の遮水構造を示し、図中、７-1は前記遮水カバー７と同一材料、同一寸法、同一の外形形状からなる遮水カバーで、上部の小径部７ａがステアリングシャフト１の外周に締め付けバンド９で固定されている。
【００５２】
そして、本実施形態は、前記遮水カバー７の構造に加え、遮水カバー７-1の下方の内周に、図７及び図８に示す遮水用の環状突起（遮水用突起）２１を周方向に一体的に突設したもので、環状突起２１全体は遮水カバー７-1の開口方向（遮水カバー７-1の下側）に向かって下方へ傾斜すると共に、遮水カバー７-1と同一の肉厚で形成され、また、内方への突出幅は自在継手５の動きに干渉することがない寸法とされている。
【００５３】
尚、その他の構成は前記実施形態と同様であるので、同一のものには同一符号を付してそれらの説明は省略する。
【００５４】
本実施形態はこのように構成されているから、図７に示すようにキャブをチルトダウンした状態で、ステアリングシャフト１に取り付く遮水カバー７-1が自在継手５を覆い、また、図示しないがキャブをチルトアップした状態で、遮水カバー７-1が自在継手５を覆う。
【００５５】
そして、雨天時に車両が走行して、走行風で雨水Ｗ１がエンジンルーム内に浸入しても、図７の如く遮水カバー７-1が自在継手５の軸部５ｂを保護して走行被水を防止し、また、環状突起２１が、開口する遮水カバー７-1の下側から巻き上がって中に入ろうとする雨水Ｗ１の浸入を防止する。
【００５６】
また、環状突起２１全体は遮水カバー７-1の開口方向に向かって下方へ傾斜しているため、遮水カバー７-1の内部に浸入してしまった雨水Ｗ１は、遮水カバー７-1の内周から環状突起２１に沿ってスムーズに排水される。
【００５７】
同様に、キャブをチルトしてドライバーが高圧洗浄水で車体を洗浄する場合にも、遮水カバー７-1が自在継手５の軸部５ｂを保護して高圧洗浄水による被水を防止し、また、環状突起２１が、開口する遮水カバー７-1の下側から巻き上がって中に入ろうとする高圧洗浄水の浸入を防止する。
【００５８】
従って、本実施形態によっても、前記実施形態と同様、所期の目的を達成することが可能であると共に、前記環状突起２１によって自在継手５に対する遮水性が向上すると共に、遮水カバー７-1の内部に浸入してしまった雨水Ｗ１等の排水がスムーズに行える利点を有する。
【００５９】
図９は請求項１乃至請求項３の第二実施形態に係る自在継手の遮水構造を示し、本実施形態は前記環状突起２１に代え、遮水カバー７-2の内周に沿って上方から下方へ傾斜する螺旋状突起（遮水用突起）２３を一体的に突設したもので、螺旋状突起２３は遮水カバー７-2と同一の肉厚で形成されると共に、内方への突出幅は自在継手５の動きに干渉することがない寸法とされている。
【００６０】
尚、その他の構成は前記実施形態と同様であるので、同一のものには同一符号を付してそれらの説明は省略する。
【００６１】
本実施形態はこのように構成されているから、図９に示すようにキャブをチルトダウンした状態で、ステアリングシャフト１に取り付く遮水カバー７-2が自在継手５を覆い、また、図示しないがキャブをチルトアップした状態で、遮水カバー７-2が自在継手５を覆う。
【００６２】
そして、雨天時に車両が走行して走行風で雨水がエンジンルーム内に浸入しても、遮水カバー７-2が自在継手５の軸部５ｂを保護して走行被水を防止し、また、螺旋状突起２３が、開口する遮水カバー７-2の下側から巻き上がって中に入ろうとする雨水の浸入を防止する。
【００６３】
また、螺旋状突起２３は遮水カバー７-2の内周に沿って上方から下方へ傾斜しているため、遮水カバー７-2の内部に浸入してしまった雨水は、遮水カバー７-2の内周から螺旋状突起２３に沿ってスムーズに排水される。
【００６４】
同様に、キャブをチルトしてドライバーが高圧洗浄水で車体を洗浄する場合にも、遮水カバー７-2が自在継手５の軸部５ｂを保護して高圧洗浄水による被水を防止し、また、螺旋状突起２３が、開口する遮水カバー７-2の下側から巻き上がって中に入ろうとする高圧洗浄水の浸入を防止する。
【００６５】
従って、本実施形態によっても、図７の実施形態と同様、所期の目的を達成することが可能であると共に、螺旋状突起２３によって自在継手５に対する遮水性が向上すると共に、遮水カバー７-2の内部に浸入してしまった雨水等の排水がスムーズに行える利点を有する。
【００６６】
図１０は請求項１乃至請求項３の第三実施形態に係る自在継手の遮水構造を示し、本実施形態は図７の環状突起２１に代え、遮水カバー７-3の下部７ｂの内周に、同一形状からなる複数のフィン状突起（遮水用突起）２５を周方向に沿って一体的に突設したもので、各フィン状突起２５は、夫々、開口する遮水カバー７-3の下側に向かって下方へ傾斜すると共に、遮水カバー７-1と同一の肉厚で形成され、また、内方への突出幅は自在継手５の動きに干渉することがない寸法とされている。
【００６７】
尚、その他の構成は前記実施形態と同様であるので、同一のものには同一符号を付してそれらの説明は省略する。
【００６８】
本実施形態はこのように構成されているから、図１０に示すようにキャブをチルトダウンした状態、また、図示しないがキャブをチルトアップした状態で、遮水カバー７-3が自在継手５を覆う。
【００６９】
そして、雨天時に車両が走行して、走行風で雨水がエンジンルーム内に浸入しても、遮水カバー７-3が自在継手５の軸部５ｂを保護して走行被水を防止し、また、複数のフィン状突起２５が、開口する遮水カバー７-3の下側から巻き上がって中に入ろうとする雨水の浸入を防止する。
【００７０】
また、各フィン状突起２５は遮水カバー７-3の開口方向に向かって下方へ傾斜しているため、遮水カバー７-3の内部に浸入してしまった雨水は、遮水カバー７-3の内周から各フィン状突起２５に沿ってスムーズに排水される。
【００７１】
同様に、キャブをチルトしてドライバーが高圧洗浄水で車体を洗浄する場合にも、遮水カバー７-3が自在継手５の軸部５ｂを保護して高圧洗浄水による被水を防止し、また、フィン状突起２５が、開口する遮水カバー７-3の下側から巻き上がって中に入ろうとする高圧洗浄水の浸入を防止する。
【００７２】
従って、本実施形態によっても、図７の実施形態と同様、所期の目的を達成することが可能であると共に、複数のフィン状突起２５によって自在継手５に対する遮水性が向上すると共に、遮水カバー７-3の内部に浸入してしまった雨水等の排水がスムーズに行える利点を有する。
【００７３】
尚、既述した各実施形態では、遮水カバーの脱落防止部としてリング部材１５を用いたが、斯かるリング部材に限定されるものではなく、遮水カバーの脱落防止が可能な総ての構造が適用可能であり、また、リング部材をステアリングシャフトの外周に一体形成してもよい。
【００７４】
そして、遮水カバーをステアリングシャフトに固定する締結部材は締め付けバンドに限定されるものではない。
【符号の説明】
【００７５】
１  ステアリングシャフト
３  ステアリングギヤボックス
５  自在継手
５ａ  ヨーク
５ｂ  軸部
７、７-1、７-2、７-3  遮水カバー
９  締め付けバンド（締結部材）
１１  ウォームシャフト
１３  締結ボルト
１５  リング部材（脱落防止部）
１７  フロアパネル
１９  フロア貫通孔
２１  環状突起
２３  螺旋状突起
２５  フィン状突起
【図１】
2012030646.tif 000003
【図２】
2012030646.tif 000004
【図３】
2012030646.tif 000005
【図４】
2012030646.tif 000006
【図５】
2012030646.tif 000007
【図６】
2012030646.tif 000008
【図７】
2012030646.tif 000009
【図８】
2012030646.tif 000010
【図９】
2012030646.tif 000011
【図１０】
2012030646.tif 000012